(57)【要約】【課題】鉄道車両の荷物室に収容する荷物６を暗証番号が任意に設定可能なダイヤル錠３で施錠することにより、不特定多数の利用者が容易に使用できるようにした鉄道車両用盗難防止装置を提供する。【解決手段】鉄道車両の荷物室に設置する鉄道車両用盗難防止装置において、一端を荷物室に固着し、他端に係止部５ａが設けられた可撓性を有するワイヤ５と、このワイヤ５の係止部５ａを係止するワイヤ係止具４と、このワイヤ係止具４の施錠・解錠を行うものであって、施錠の際に解錠のための暗証番号を任意に設定可能なダイヤル錠３とを備えた構成とする。【選択図】図１
2010261221.tif 000002
【特許請求の範囲】
【請求項１】
鉄道車両の荷物室に設置する鉄道車両用盗難防止装置において、
一端を荷物室に固着し、他端に係止部が設けられた可撓性を有するワイヤと、このワイヤの係止部を係止するワイヤ係止具と、このワイヤ係止具の施錠・解錠を行うものであって、施錠の際に解錠のための暗証番号を任意に設定可能なダイヤル錠とを備えたことを特徴とする鉄道車両用盗難防止装置。
【請求項２】
前記ダイヤル錠が、非常キーにより強制的に解錠を行う強制解錠手段を備え、正面に暗証番号のダイヤルを有すると共に、背面に強制解錠手段による解錠の後に暗証番号を再設定できるようにするための操作部を有するものであり、このダイヤル錠が、荷物室に揺動自在に取り付けられ、解錠時に解放可能な錠固定手段によって背面が隠れるようにこの揺動を固定されたことを特徴とする請求項１に記載の鉄道車両用盗難防止装置。
【発明の詳細な説明】
【技術分野】
【０００１】
本発明は、鉄道車両の荷物室に設置する鉄道車両用盗難防止装置に関するものである。
【背景技術】
【０００２】
例えば空港の最寄り駅行きの特急列車には、旅行用キャリーバッグ等の大型の荷物を持った乗客が多いので、この乗客の荷物を収容するための荷物室を車両の出入り口付近に設ける場合がある。しかしながら、このような荷物室は、乗客の座席からは離れているので、他人が無断で持ち去るような盗難を防止するために盗難防止装置を設置する必要がある。
【０００３】
上記鉄道車両の荷物室に設置可能な盗難防止装置として、荷物の把手等に通したワイヤの一端を鍵で解錠する錠前やカード式の電子ロック等で施錠するものが従来からあった（例えば、特許文献１参照。）。また、不特定多数の利用者が使用可能なように、解錠のための暗証番号を任意に設定可能なダイヤル錠も従来からあった（例えば、特許文献２参照。）。
【先行技術文献】
【特許文献】
【０００４】
【特許文献１】特表平１１−５０８００３号公報
【特許文献２】特許第２７３１５１７号明細書
【発明の概要】
【発明が解決しようとする課題】
【０００５】
ところが、特許文献１に記載された鍵で解錠する錠前やカード式の電子ロックは、利用者が鍵やカードを紛失するケースが多くあり、利用者によるこの鍵やカードの管理が煩わしいという問題があった。
また、特許文献２に記載された暗証番号が設定可能なダイヤル錠は、簡単な構造であるために、利用者が施錠の前に新しい暗証番号の設定を忘れると、前回と同じ暗証番号で解錠できるようになり、施錠後にダイヤルを適当に回転させておかないとダイヤルの番号が暗証番号に一致した解錠可能な状態のままとなるので、盗難を確実に防止することができない。
そこで、新しい暗証番号を設定しない限り施錠できないようにしたり、施錠後には自動的にダイヤルの番号が暗証番号とは異なるものに変わるような構造のダイヤル錠を用いることも考えられる。しかし、このようなダイヤル錠では、利用者の暗証番号忘れ等により非常キー（マスターキー）を用いて強制的に解錠した場合に、直前の暗証番号の設定が残ってしまい、この暗証番号を再設定できるようにするための操作部をダイヤル錠の背面等に設ける必要がある。従って、例えばロッカーの扉にダイヤル錠を設ける場合であれば、暗証番号のダイヤルの部分だけを扉の正面から露出させるようにすれば、背面等の操作部は解錠して扉を開かない限り操作できないが、荷物室に収容した荷物をワイヤ等を用いて施錠するだけの開放された構造の場合、施錠時にもダイヤル錠の背面等の操作部を他人が操作できるため、暗証番号を知得されたり再設定されて容易に解錠されるという問題もあった。
【０００６】
本発明は、鉄道車両の荷物室に収容する荷物を暗証番号が任意に設定可能なダイヤル錠で施錠することにより、不特定多数の利用者が容易に使用できるようにした鉄道車両用盗難防止装置を提供しようとするものである。
【課題を解決するための手段】
【０００７】
請求項１の発明は、鉄道車両の荷物室に設置する鉄道車両用盗難防止装置において、一端を荷物室に固着し、他端に係止部が設けられた可撓性を有するワイヤと、このワイヤの係止部を係止するワイヤ係止具と、このワイヤ係止具の施錠・解錠を行うものであって、施錠の際に解錠のための暗証番号を任意に設定可能なダイヤル錠とを備えたことを特徴とする。
請求項２の発明は、前記ダイヤル錠が、非常キーにより強制的に解錠を行う強制解錠手段を備え、正面に暗証番号のダイヤルを有すると共に、背面に強制解錠手段による解錠の後に暗証番号を再設定できるようにするための操作部を有するものであり、このダイヤル錠が、荷物室に揺動自在に取り付けられ、解錠時に解放可能な錠固定手段によって背面が隠れるようにこの揺動を固定されたことを特徴とする。
【発明の効果】
【０００８】
請求項１の発明によれば、利用者が荷物の把手等にワイヤを通して係止部をワイヤ係止具に係止し、ダイヤル錠の暗証番号を設定してこのワイヤ係止具に施錠を行えば、容易に荷物の盗難を防止することができる。しかも、利用者は、自分の好みの暗証番号を覚えておくだけでよく、鍵やカードを紛失するようなおそれが生じない。
請求項２の発明によれば、乗務員等が非常キーによりダイヤル錠を強制的に解錠できるので、利用者が暗証番号を忘れた場合でも、降車の際に荷物が持ち出せないというようなトラブルを容易に回避することができる。しかも、ダイヤル錠の背面の操作部は、ダイヤル錠を解錠し錠固定手段を解放してこのダイヤル錠を揺動させなければ操作することができないので、施錠時に他人がこの操作部を勝手に操作して暗証番号を知得したり再設定して解錠するのを防止することができる。
【図面の簡単な説明】
【０００９】
【図１】本発明の一実施形態を示すものであって、鉄道車両の荷物室に設置された盗難防止装置を示す正面図である。
【図２】本発明の一実施形態を示すものであって、盗難防止装置におけるワイヤ係止具とダイヤル錠の構成を示す平面図（ａ）と正面図（ｂ）である。
【図３】本発明の一実施形態を示すものであって、図２におけるダイヤル錠を解錠してワイヤ係止具の蓋を開いたときの状態を示す平面図（ａ）と正面図（ｂ）である。
【図４】本発明の一実施形態を示すものであって、図３におけるダイヤル錠を揺動させたときの状態を示す平面図（ａ）と正面図（ｂ）である。
【発明を実施するための形態】
【００１０】
以下、本発明の実施形態について図１〜図４を参照して説明する。
【００１１】
本実施形態は、客車の出入り口付近の通路の両側に配置された荷物室に設置する盗難防止装置について説明する。荷物室は、車両中央の通路側に開放された、本来座席を設置する空間であり、上下の中央部と上部に前後にわたってそれぞれ棚板を配置し、中央部の棚板の上とこの棚板の下の床の上とにそれぞれ荷物を置けるようにしている。
【００１２】
図１に示すように、中央部と上部の棚板１の正面側（車両の通路側）の端部には、それぞれ左右方向（車両の前後方向）に間隔をあけて複数個の盗難防止装置基板２が固定されている。そして、各盗難防止装置基板２の正面側には、図２に示すように、ダイヤル錠３とワイヤ係止具４が配置されている。また、図１に示すように、各盗難防止装置基板２の背後側の棚板１には、ワイヤ５の一端が固着されている。
【００１３】
上記盗難防止装置の基本的な使い方を説明する。列車の乗客である利用者が荷物６を預ける場合には、まず図１の左側の盗難防止装置や図３に示すように、ワイヤ係止具４の蓋板４ａを開いて、係止ピン４ｂに挿嵌してあったワイヤ５の他端の係止部５ａを抜き取る。次に、図１の右側の盗難防止装置や図２に示すように、ワイヤ５の係止部５ａを荷物６の把手６ａに通し、この係止部５ａを再びワイヤ係止具４の係止ピン４ｂに挿嵌し、蓋板４ａを閉じる。そして、ダイヤル錠３の４桁分のダイヤル３ａをそれぞれ回して好みの暗証番号の数字に設定し、このダイヤル錠３のツマミ３ｂをＬＯＣＫ側に回すことにより、ワイヤ係止具４に施錠を行って蓋板４ａを開かないようにする。
【００１４】
ここで、ダイヤル錠３は、当初ダイヤル３ａの数字が「００００」にリセットされていて、この「００００」の状態ではツマミ３ｂをＬＯＣＫ側に回して施錠することはできないようになっているので、利用者は必ずダイヤル３ａを回して暗証番号を設定しなければならず、この暗証番号を設定し忘れることがないようになっている。また、この暗証番号を設定してからツマミ３ｂをＬＯＣＫ側に回して施錠すると、自動的にダイヤル３ａの数字が「００００」にリセットされるので、設定した暗証番号の数字が施錠後にもダイヤル３ａに残り解錠可能な状態のままになることもない。
【００１５】
利用者が荷物６を受け取る場合には、まずダイヤル錠３のダイヤル３ａを回して先に設定した利用者固有の暗証番号の数字に合わせる。すると、ツマミ３ｂが回せるようになるので、このツマミ３ｂをＯＰＥＮ側に回して解錠する。この際、ダイヤル錠３は、次の利用者が暗証番号を設定し忘れることがないように、自動的にダイヤル３ａの数字が「００００」にリセットされる。そして、ワイヤ係止具４の蓋板４ａを開いてワイヤ５の係止部５ａを係止ピン４ｂから抜き取り、このワイヤ５を荷物６の把手６ａから外して、再び係止部５ａを係止ピン４ｂに挿嵌し蓋板４ａを閉めればよい。
【００１６】
上記盗難防止装置の構成を説明する。図２〜図４に示すように、盗難防止装置基板２は、金属板を曲げ加工して正面側の面と上面が開口した左右に細長い方形の箱状にしたものであり、棚板１の端部にはねじで固定されている。そして、ダイヤル錠３は、この盗難防止装置基板２の正面側の開口部に取り付けられ、このダイヤル錠３の左側に隣接してワイヤ係止具４が配置されている。なお、この盗難防止装置基板２の上面の開口部は、棚板１の端部に固定した図示しないカバーによって覆われている。
【００１７】
ワイヤ５は、荷物６の把手６ａ等に通すことができるような可撓性を有する長尺物であり、一端は盗難防止装置基板２の背後側の棚板１の下面に固着されている。そして、このワイヤ５の他端には、貫通孔が開口する金属板からなる係止部５ａが固着されている。
【００１８】
ワイヤ係止具４は、蓋板４ａと係止ピン４ｂとからなる。係止ピン４ｂは、盗難防止装置基板２の背後側の内面に固着された金属製のピンであり、正面側に向けて突出するようになっている。そして、この係止ピン４ｂに上記ワイヤ５の係止部５ａの貫通孔を挿嵌できるようになっている。蓋板４ａは、左端部が盗難防止装置基板２の正面側の開口部の左端部のヒンジ２ａに取り付けられて揺動自在となった金属板である。そして、この蓋板４ａが揺動により図２に示すように盗難防止装置基板２の正面側の開口部を覆って閉じた場合には、係止ピン４ｂの突出端も僅かな隙間を介して覆うようになっている。従って、この蓋板４ａが図３に示すように開いている場合には、ワイヤ５の係止部５ａを係止ピン４ｂに挿嵌させたり抜き取ったりすることができるが、この蓋板４ａが図２に示すように閉じている場合には、係止ピン４ｂに挿嵌されたワイヤ５の係止部５ａが抜き取れないようになっている。また、この蓋板４ａの背面には、レバー係合部４ｃが設けられている。
【００１９】
ダイヤル錠３は、盗難防止装置基板２の正面側の開口部における、ワイヤ係止具４の蓋板４ａの右側に隣接した位置に取り付けられている。このダイヤル錠３の正面には、４桁分の数字を設定するダイヤル３ａと共に、ワイヤ係止具４の施錠と解錠の操作を行うツマミ３ｂが設けられている。ツマミ３ｂは、解錠時には、ダイヤル３ａの数字が「００００」以外の任意の暗証番号に設定されている場合にのみ、ＯＰＥＮ側からＬＯＣＫ側に回して施錠できるようになっていて、施錠時には、ダイヤル３ａの数字がこの直前の施錠の際に設定された暗証番号に一致する場合にのみ、ＬＯＣＫ側からＯＰＥＮ側に回して解錠できるようになっている。また、このツマミ３ｂをＬＯＣＫ側に回して施錠したりＯＰＥＮ側に回して解錠したときには、いずれもダイヤル３ａの数字が「００００」にリセットされるようになっている。
【００２０】
上記ダイヤル錠３は、ツマミ３ｂの動作に連動して回転する蓋板閉鎖レバー３ｃが設けられている。蓋板閉鎖レバー３ｃは、図３に示すように、ツマミ３ｂがＯＰＥＮ側に回ったときはダイヤル錠３の上方に突出するが、図２に示すように、このツマミ３ｂがＬＯＣＫ側に回ったときにはダイヤル錠３の左側に突出し、ワイヤ係止具４の閉じた蓋板４ａのレバー係合部４ｃに係合して、この蓋板４ａを開かないようにすることにより施錠を行うようになっている。
【００２１】
上記ツマミ３ｂの正面側の突出端面には、非常用鍵穴３ｄが開口している。そして、ダイヤル錠３は、施錠時に、列車の乗務員等が管理する図示しない非常キーをこの非常用鍵穴３ｄに挿入してツマミ３ｂと共にＯＰＥＮ側に回すと、ダイヤル３ａの数字の設定にかかわらず強制的に解錠できるようになっている。これは、利用者が暗証番号を忘れて自分の荷物６を受け取ることができなくなったような場合等に、乗務員等が強制的にダイヤル錠３の解錠い、ワイヤ係止具４の蓋板４ａを開いて荷物６の把手６ａからワイヤ５を外すことができるようにするためのものである。
【００２２】
上記ダイヤル錠３は、右端部が盗難防止装置基板２の正面開口部の右端部のヒンジ２ｂに取り付けられているので、揺動自在となる。ただし、このダイヤル錠３の左端部は、図２（ａ）及び図３（ａ）に示す錠固定ピン７によって盗難防止装置基板２に固定されているので、この状態ではダイヤル錠３が揺動することはない。しかしながら、錠固定ピン７を取り外せば、ダイヤル錠３は、図４に示すように、ヒンジ２ｂを中心に揺動させることができる。もっとも、この錠固定ピン７は、ワイヤ係止具４の蓋板４ａが閉じてる場合には、ダイヤル錠３自体とこの蓋板４ａの陰に隠れて取り外すことができないようになっている。次に説明する暗証番号の再設定を行う場合には、このダイヤル錠３を揺動させる必要がある。
【００２３】
上記ダイヤル錠３の背面には、４桁分の暗証番号ボタン３ｅが設けられている。そして、ダイヤル錠３は、この暗証番号ボタン３ｅを押しながら対応する桁のダイヤル３ａを回すと、直前に設定された暗証番号の対応桁の数字に一致した位置でダイヤル３ａが回らなくなるようになっている。ただし、ダイヤル錠３が上記錠固定ピン７によって揺動しないようになっている場合には、この暗証番号ボタン３ｅが背面に隠れるので、操作を行うことができない。
【００２４】
上記暗証番号ボタン３ｅは、非常キーを用いてダイヤル錠３を強制的に解錠すると、直前の暗証番号の設定が残ったままになるので、この暗証番号を再設定できるようにするためのものである。即ち、暗証番号が分からないために非常キーを非常用鍵穴３ｄに挿入しツマミ３ｂと共にＯＰＥＮ側に回して強制的に解錠し蓋板４ａを開いた場合には、錠固定ピン７も取り外してダイヤル錠３を図４に示すように揺動させる。次に、非常キーをツマミ３ｂと共に回してＬＯＣＫ側に戻した後にこの非常キーを非常用鍵穴３ｄから引き抜き、暗証番号ボタン３ｅを用いてダイヤル３ａの数字を直前に設定された暗証番号に一致させる。そして、ダイヤル錠３を逆方向に揺動させて元に戻し錠固定ピン７を取り付ける。すると、この状態でツマミ３ｂだけをＯＰＥＮ側に回せば、正規の解錠操作を行ったことになるので、次回から新たな暗証番号が設定できるようになる。
【００２５】
上記構成の盗難防止装置によれば、利用者が荷物６の把手６ａにワイヤ５を通して係止部５ａをワイヤ係止具４の係止ピン４ｂに挿嵌することにより係止し、蓋板４ａを閉じてダイヤル錠３の暗証番号を設定しツマミ３ｂをＬＯＣＫ側に回してこのワイヤ係止具４に施錠を行えば、容易に荷物６の盗難を防止することができる。しかも、利用者は、自分の好みの暗証番号を覚えておくだけでよく、鍵やカードを紛失するようなおそれが生じない。
【００２６】
また、乗務員等が非常キーによりダイヤル錠３を強制的に解錠できるので、利用者が暗証番号を忘れた場合でも、降車の際に荷物６が持ち出せないというようなトラブルを容易に回避することができる。しかも、ダイヤル錠３の背面の暗証番号ボタン３ｅは、ダイヤル錠３を解錠して蓋板４ａを開き錠固定ピン７を取り外してこのダイヤル錠３を揺動させなければ操作することができないので、施錠時に他人がこの暗証番号ボタン３ｅを勝手に操作して暗証番号を知得したり再設定して解錠するのを防止することができる。
【００２７】
なお、上記実施形態では、盗難防止装置を客車の出入り口付近の通路の両側に配置された荷物室に設置する場合を示したが、この荷物室は、鉄道車両に設けられるものであれば、場所や構造は限定されない。ここで、荷物室とは、鉄道車両内における荷物を収容する空間をいい、必ずしも周囲を壁で囲んだり扉を設けた部屋である必要はなく、荷物を収容する空間さえあれば人が入れるような余裕もなくてよい。
【００２８】
また、上記実施形態では、ワイヤ係止具４が蓋板４ａと係止ピン４ｂからなる場合を示したが、ワイヤ５の係止部５ａを係止して、ダイヤル錠３を施錠した場合にはこの係止が外れず、ダイヤル錠３を解錠した場合にはこの係止を外すことが可能となるようなものであれば、このワイヤ係止具４の構成は任意である。
【００２９】
また、上記実施形態では、ワイヤ５の係止部５ａが貫通孔の開口する金属板である場合を示したが、ワイヤ係止具４に係止することができるものであれば、このワイヤ係止具４に応じて任意の構成とすることができる。さらに、このワイヤ５は、長尺物の素材自体が可撓性を有する場合だけでなく、例えば鎖やチェーン等のように、個々には可撓性のない多数の部品が可動的に連結して全体として可撓性を有するような場合であってもよい。
【００３０】
また、上記実施形態では、ダイヤル錠３を揺動させないようにするために錠固定ピン７を用いる場合を示したが、解錠に解放可能な錠固定手段であれば、構成は任意である。さらに、上記実施形態では、暗証番号を再設定できるようにするための操作部が暗証番号ボタン３ｅである場合を示したが、この操作部の構成も暗証番号を再設定できるようにするための操作の方法に応じて任意であり、ダイヤル錠３の背面以外にこの操作部を設けてもよい。さらに、上記実施形態では、ダイヤル錠３を揺動自在に取り付ける場合を示したが、例えば非常キーにより強制的に解錠を行った場合であっても、暗証番号を再設定できるようにする操作を行う必要がなく、このような操作を行う操作部が設けられていないダイヤル錠３を用いた場合には、荷物室に固定して取り付けることもできる。
【００３１】
また、上記実施形態では、非常キーにより強制的に解錠を行うダイヤル錠３について示したが、非常キー以外の手段により強制的に解錠を行うダイヤル錠３を用いることもできる。さらに、このダイヤル錠３のダイヤル３ａの桁数も４桁に限らず任意であり、このダイヤル３ａも数字に限らず他の符号等を設定するものであってもよい。さらに、このダイヤル錠３の施錠・解錠の機構も、上記実施形態のようなツマミ３ｂや蓋板閉鎖レバー３ｃを用いたものに限らず、ワイヤ係止具４の構成に応じて任意である。
【符号の説明】
【００３２】
１    棚板
２    盗難防止装置基板
２ａ  ヒンジ
２ｂ  ヒンジ
３    ダイヤル錠
３ａ  ダイヤル
３ｂ  ツマミ
３ｃ  蓋板閉鎖レバー
３ｄ  非常用鍵穴
３ｅ  暗証番号ボタン
４    ワイヤ係止具
４ａ  蓋板
４ｂ  係止ピン
４ｃ  レバー係合部
５    ワイヤ
５ａ  係止部
６    荷物
６ａ  把手
７    錠固定ピン
【図１】
2010261221.tif 000003
【図２】
2010261221.tif 000004
【図３】
2010261221.tif 000005
【図４】
2010261221.tif 000006